(57)【要約】【課題】各種オーディオ機器をその大きさ及び形状にかかわらず左右方向の所望の位置に載置することができるオーディオラックを得ること。【解決手段】ワイヤーコード８を収容する溝１ａが略全長に形成された長尺の基台１と、前記溝から立上がるワイヤーコードを通す通路を有し、上部にオーディオ機器５、６を載置し、前記基台の溝に沿う所望の位置に設置可能な複数の支持台２、３と、を備えている。前記溝には、前記支持台を所望の位置に設置するための多数のネジ孔１ｃが設けられているか、または、前記溝の近傍には、前記支持台を所望の位置に設置するためのガイドレールが設けられている。【選択図】        図２
2005318994.tif 000002
【特許請求の範囲】
【請求項１】
ワイヤーコードを収容する溝が略全長に形成された長尺の基台と、
前記溝から立上がるワイヤーコードを通す通路を有し、上部にオーディオ機器を載置し、前記基台の溝に沿う所望の位置に設置可能な複数の支持台と、
を備えたオーディオラック。
【請求項２】
前記溝には、前記支持台を所望の位置に設置するための多数のネジ孔が設けられていることを特徴とする請求項１に記載のオーディオラック。
【請求項３】
前記溝の近傍には、前記支持台を所望の位置に設置するためのガイドレールが設けられていることを特徴とする請求項１に記載のオーディオラック。
【請求項４】
前記溝の所定位置にはターンテーブルが設置され、該ターンテーブル上に前記ワイヤーコードを通す通路を有するディスプレイ支持台が設置されていることを特徴とする請求項１〜３のいずれか一つに記載のオーディオラック。
【請求項５】
前記複数の支持台の少なくとも一つは、縦軸回りに回動可能であることを特徴とする請求項１〜４のいずれか一つに記載のオーディオラック。
【発明の詳細な説明】
【技術分野】
【０００１】
本発明は、各種オーディオ機器等を載置するオーディオラックに関する。
【背景技術】
【０００２】
従来のオーディオラックを構成するラック本体には、前面側が開口された収納部が形成されており、この収納部には、その両端部にスピーカが収納されている。また、この収納部の中央部には、センタースピーカ及びアンプ、チューナ等の各種オーディオ機器が収納されている。また、収納部には、その前面側にガラス等の透過性を有する材料からなる扉が設けられており、収納部内への粉塵、埃等の侵入を防ぐようになっている。また、このオーディオラックの背もたれ部の内部には、水平方向に配置されかつ両端部が回動可能に支持された軸が設けられており、この軸にはスクリーンの一端部が接続されている。そして、スクリーンは、前記軸に巻回された状態にて背もたれ部の内部に収納されるようになっており、このスクリーンの他端部は、背もたれ部の上端部に形成された開口部へ通され、上板に固定されている。即ち、このスクリーンの他端部が固定された上板を上方へ移動させることにより、スクリーンが背もたれ部の上方に広げられるようになっている（例えば、特許文献１参照）。
【０００３】
【特許文献１】特開平５−３４４９１７号公報（段落〔０００７〕、〔０００９〕、〔００１０〕、図１〜図３）
【発明の開示】
【発明が解決しようとする課題】
【０００４】
しかしながら、従来のオーディオラックは、スピーカ、センタースピーカ及びアンプ、チューナ等の各種オーディオ機器を決められた寸法の収納部に収納するようになっていて、一定の大きさ及び形状以外のオーディオ機器は収納、設置することができないという問題があった。また、スクリーン（ディスプレイ）は正面を向いて固定されていて、オーディオラックの左右斜め方向からは見にくいという問題があった。そうかといって、各種オーディオ機器を床の上に並べて置いたりすると、電源コードや各種入出力コード等のワイヤーコードが床を這い回ることとなり、部屋の美観を損なうという問題があった。
【０００５】
本発明が解決しようとする課題には、上記したものが一例として挙げられる。本発明は、各種オーディオ機器をその大きさ及び形状にかかわらず左右方向の所望の位置に載置することができ、かつ、ワイヤーコードの引き回しの美観に優れたオーディオラックを得ること等を目的とする。
【課題を解決するための手段】
【０００６】
請求項１に記載の発明は、ワイヤーコードを収容する溝が略全長に形成された長尺の基台と、前記溝から立上がるワイヤーコードを通す通路を有し、上部にオーディオ機器を載置し、前記基台の溝に沿う所望の位置に設置可能な複数の支持台と、を備えている。
【発明を実施するための最良の形態】
【０００７】
以下に、本発明に係るオーディオラックの実施例を図面に基づいて詳細に説明する。なお、この実施例によりこの発明が限定されるものではない。
【実施例１】
【０００８】
図１は各種オーディオ機器を載置した実施例１のオーディオラック１００の前方斜視図、図２は同後方分解斜視図、図３はＡＶキャビネット５を載置するキャビネット支持台２の縦断面図、図４はＡＶキャビネット５の後方斜視図、図５はディスプレイ７を支持するディスプレイ支持台４の縦断面図である。
【０００９】
オーディオラック１００は、左右に長尺の矩形厚板状に形成された基台１と、この基台１に設置され上部にＡＶキャビネット５を載置するキャビネット支持台２と、上部にスピーカ６、６を載置するスピーカ支持台３、３と、上部にプラズマディスプレイ、液晶ディスプレイ等のディスプレイ７が取付けられるディスプレイ支持台４等を備えている。また、図３に示すように、基台１の下側４隅には、調整ナット９ａにより、床面の凹凸に合わせて高さ調整可能な４本の脚９が備えられている。
【００１０】
基台１には、オーディオ機器のＡＣ電源コード８ａ、アンテナケーブル８ｂ及び各種入出力コード等のワイヤーコード８を収容する溝１ａが、長手方向に全長にわたって形成されている。ＡＣ電源コード８ａ及びアンテナケーブル８ｂ等の外部からのワイヤーコード８は、基台１の一端部の側部に設けられたワイヤー通し孔１ｂを通して溝１ａ内へ導入される。
【００１１】
溝１ａの底面の両側には、溝１ａの略全長にわたって多数のネジ孔１ｃが設けられていて、このネジ孔１ｃを利用して、ＡＶキャビネット５を載置するキャビネット支持台２、及び上部にスピーカ６、６を載置するスピーカ支持台３、３が、基台１の溝１ａに沿う所望の位置に設置され、止めネジ１０により固定される。
【００１２】
図３に示すように、キャビネット支持台２は、ワイヤーコード８を通す通路２ａを有する円筒状の支柱２ｂと、支柱２ｂの下端に設けられた平面視矩形、側面視門形の台座２ｃと、支柱２ｂの上端に設けられたフランジ２ｄとから成っている。台座２ｃ及びフランジ２ｄにも中央部にワイヤーコード８を通す配線孔が設けられている。台座２ｃはその脚部２ｅでワイヤーコード８を跨ぐようにして溝１ａ内の長手方向の所望の位置に設置され、四隅に設けられた通し孔２ｆに止めネジ１０を挿し込みネジ孔１ｃにねじ込んで固定される。台座２ｃの高さは溝１ａの深さに略同じである。
【００１３】
フランジ２ｄ上には、ＡＶキャビネット５が載置されネジ止め固定される。ワイヤーコード８は、溝１ａから立上がり、通路２ａからＡＶキャビネット５の配線孔５ａ（図２参照）を通してＡＶキャビネット５内に挿通され、ＡＶキャビネット５の背面に設けられたコネクタパネル５ｂに接続される。ＡＶキャビネット５内に収納されるチューナ、アンプ、ＤＶＤプレーヤー等のＡＶ機器５ｃのコンセントパネル５ｄには、コネクタパネル５ｂから配線がなされる。
【００１４】
次に、図２を参照してスピーカ支持台３について説明する。スピーカ支持台３は、ワイヤーコード８を通す通路を有する円筒状の支柱３ｂと、支柱３ｂの下端に設けられた前述の台座２ｃとから成っている。台座２ｃはその脚部２ｅでワイヤーコード８を跨ぐようにして溝１ａ内の長手方向の所望の位置に設置され、四隅に設けられた通し孔２ｆに止めネジ１０を挿し込みネジ孔１ｃにねじ込んで固定される。支柱３ｂの上端には、円柱形の無指向性スピーカ６が載置されている。ワイヤーコード８は、溝１ａから立上がり、支柱３ｂの通路を通してスピーカ６に接続される。
【００１５】
キャビネット支持台２およびスピーカ支持台３は、溝１ａ内の長手方向（左右方向）の所望の位置に設置可能であるので、ＡＶキャビネット５及びスピーカ６が幅の広いものであったり、高さの高いものであったりしても、互いに干渉することなく載置することができる。
【００１６】
次に図２及び図５を参照してディスプレイ支持台４について説明する。基台１の一端から全長の約１／３の距離の位置に浅い円形穴１ｄが形成され、この円形穴１ｄにターンテーブル１５が設置されている。ターンテーブル１５の外輪１５ａが円形穴１ｄ内で基台１に固定され、内輪１５ｂが外輪１５ａに対し縦軸回りに回動できるようになっている。内輪１５ｂ上には、ディスプレイ支持台４の下部に形成された下フランジ４ｃがネジ４ａにより固定されている。
【００１７】
ディスプレイ支持台４内は空洞でワイヤーコード８を通す通路４ｂとなっていて、この通路４ｂ内にセンタースピーカ１６が載置されている。内輪１５ｂにはワイヤーコード８を通す配線孔１５ｃが設けられ、溝１ａから立上がるワイヤーコード８としての入力コードが配線孔１５ｃ及び通路４ｂを通ってディスプレイ７及びセンタースピーカ１６に接続されている。
【００１８】
基台１の左右の端部には、図２に示すように、支持台２、３の移動ストッパとなる端板１７が取付けられる。また、キャビネット支持台２及びスピーカ支持台３、３が設置されない溝部分には、溝カバー１８が被せられている。基台１の溝１ａ以外の上面は、ターンテーブル１５の位置で前後左右に４つに分割された化粧パネル１９ａ、１９ｂ、１９ｃ、１９ｄで覆われる。
【００１９】
この実施例１のオーディオラック１００によれば、ワイヤーコード８を収容する溝１ａが略全長に形成された長尺の基台１と、溝１ａから立上がるワイヤーコード８を通す通路２ａを有し、上部にオーディオ機器としてのＡＶキャビネット５又はスピーカ６を載置し、基台１の溝１ａに沿う所望の位置に設置可能な複数の支持台２、３、３と、を備えたので、ＡＶキャビネット５及びスピーカ６が幅の広いものであったり、高さの高いものであったりしても、互いに干渉することなく載置することができる。
【００２０】
また、ワイヤーコード８を収容する溝１ａを備えているので、ワイヤーコード８の引き回しの美観に優れたオーディオラックが得られる。さらに、溝１ａには、支持台２、３を所望の位置に設置するための多数のネジ孔１ｃを設けたので、台座２ｃを溝１ｃ内に設置することができ、台座２ｃが溝１ｃ内に隠れ、さらに美観を高めることができる。なお、この場合、３つの支持台２、３、３をキャビネット支持台、スピーカ支持台として機能させたが、これら支持台２、３、３を他の任意の電子機器を支持する支持台として機能させてもよい。
【実施例２】
【００２１】
図６は、実施例２のキャビネット支持台２２の縦断面図、図７は、実施例２のディスプレイ支持台２４の縦断面図、図８は図７のＢ−Ｂ線に沿う断面図、図９は実施例２のキャビネット支持台２２の変形例を示す縦断面図、図１０は図９のＣ−Ｃ線に沿う断面図である。図６〜図１０において図１〜図５に示すものと同等なものには同一の符号を付し、その詳細な説明を省略する。
【００２２】
基台２１には、ワイヤーコード８を収容する溝２１ａ、及び、溝２１ａより浅く幅広の溝２１ｃが二段溝状に長手方向に全長にわたって形成されている。また、化粧パネルとしても機能するガイドレール２９ａ、２９ｂが、それぞれのレール部を溝２１ｃ上に張出すようにして、基台２１上に設置されている。
【００２３】
キャビネット支持台２２は、ワイヤーコード８を通す通路２２ａを有する円筒状の支柱２２ｂと、支柱２２ｂの下端に設けられ前後側面にレール溝２２ｅが形成された矩形厚板状の台座２２ｃと、支柱２２ｂの上端に設けられたフランジ２２ｄとから成っている。台座２２ｃ及びフランジ２２ｄにも中央部にワイヤーコード８を通す配線孔が設けられている。
【００２４】
キャビネット支持台２２は、台座２２ｃのレール溝２２ｅにガイドレール２９ａ、２９ｂを挿し込み、ガイドレール２９ａ、２９ｂが撓んだときは、溝２１ｃの底面に台座２２ｃの下面を接するようにして基台２１上に設置され、ガイドレール２９ａ、２９ｂにガイドされて溝２１ａに沿う所望の位置に移動することができる。
【００２５】
キャビネット支持台２２を所望の位置に移動後、台座２２ｃの四隅に設けたネジ孔２２ｆに止めネジ２０をねじ込み、ガイドレール２９ａ、２９ｂを止めネジ２０で締め付けてキャビネット支持台２２をガイドレール２９ａ、２９ｂ上に固定する。レール溝２２ｅとガイドレール２９ａ、２９ｂとの間の隙間を小さくすれば、止めネジ２０は必ずしも必要ではない。フランジ２２ｄ上には、ＡＶキャビネット５が載置されネジ止め固定される。
【００２６】
スピーカ６を載置するスピーカ支持台は、図示はしないが、実施例１の円筒状の支柱３ｂの下端に、前述の台座２２ｃを取付けることにより製作することができる。
【００２７】
図７及び図８に示すように、ディスプレイ支持台２４は、実施例１のディスプレイ支持台４の下フランジ４ｃを台座２４ｃに変えたもので、他は実施例１のディスプレイ支持台４と変わるところはない。台座２４ｃは、中央部に配線孔２４ｄを有する円形厚板状に形成され、側面全周には円形環状のレール溝２４ｅが形成されている。レール溝２４ｅの底部の直径Ｄ3は、ガイドレール２９ａ、２９ｂの端部の間隔Ｄ1と略等しくされ、レール溝２４ｅの幅は、ガイドレール２９ａ、２９ｂの厚さと略等しくされている。
【００２８】
ディスプレイ支持台２４は、台座２４ｃのレール溝２４ｅにガイドレール２９ａ、２９ｂを挿し込むことにより基台２１上に設置され、ガイドレール２９ａ、２９ｂにガイドされて溝２１ａに沿う所望の位置に移動することができ、かつ、レール溝２４ｅが円形環状となっているので縦軸回りに所望の角度、左右に回動させることができる。
【００２９】
ディスプレイ支持台２４を所望の位置及び角度に設置後、台座２４ｃの４ヶ所に設けたネジ孔２４ｆに止めネジ２０をねじ込み、ガイドレール２９ａ、２９ｂを止めネジ２０で締め付けてディスプレイ支持台２４をガイドレール２９ａ、２９ｂ上に固定する。ディスプレイ支持台２４の左右回動量を大きくする場合は、ネジ孔２４ｆを台座２４ｃの広い範囲に設けておけばよい。レール溝２４ｅとガイドレール２９ａ、２９ｂとの間の隙間を小さくすれば、止めネジ２０は必ずしも必要ではない。また、キャビネット支持台２２及びスピーカ支持台の台座２２ｃをディスプレイ支持台２４の台座２４ｃに変えれば、キャビネット支持台２２及びスピーカ支持台も縦軸回りに回動可能となる。
【００３０】
この実施例２の支持台によれば、実施例１の支持台と同様の効果を奏する上に、支持台がガイドレール２９ａ、２９ｂ上をネジ孔位置に関係なく所望の位置に移動できるので、より自由な位置決めをすることができる。
【００３１】
次に、図９及び図１０を参照して実施例２の変形例のキャビネット支持台３２について説明する。基台３１には、ワイヤーコード８を収容する溝１ａが、長手方向に全長にわたって形成されている。また、溝１ａの両側壁には、キャビネット支持台３２（及び、図示しないスピーカ支持台、ディスプレイ支持台）のガイドレールとしての横溝３１ｃ、３１ｃが、基台３１の長手方向全長にわたって形成されている。
【００３２】
キャビネット支持台３２は、実施例１のキャビネット支持台２の台座２ｃを台座３２ｃに変えたもので、他は実施例１のキャビネット支持台２と変わるところはない。台座３２ｃは、中央部に配線孔が設けられ、側部に円環状の鍔３２ｅを有し、直径Ｄ4が溝１ａの幅Ｄ1と略等しい円形厚板状に形成されている。横溝３１ｃの幅は、鍔３２ｅの厚さと略等しくされ、横溝３１ｃの深さは、鍔３２ｅの幅よりも少し深くされている。
【００３３】
キャビネット支持台３２は、台座３２ｃの鍔３２ｅを横溝３１ｃ、３１ｃに挿し込むことにより基台３１上に設置される。キャビネット支持台３２は、溝１ａを跨ぐようにして、ガイドレールとしての横溝３１ｃ、３１ｃに案内され、溝１ｃに沿い所望の位置に移動することができる。また、縦軸回りに所望の角度、左右に回動させることができる。横溝３１ｃと鍔３２ｅとの間の隙間を小さくすれば、止めネジを設ける必要はない。
【００３４】
スピーカ支持台及びディスプレイ支持台は、図示はしないが、実施例１の円筒状の支柱３ｂ及びディスプレイ支持台４の下端に、それぞれ前述の台座３２ｃを取付けることにより製作することができる。スピーカ支持台及びディスプレイ支持台も、キャビネット支持台３２と同様に、溝１ｃを跨ぐようにして、ガイドレールとしての横溝３１ｃ、３１ｃに案内され、溝１ｃに沿い所望の位置に移動することができる。また、縦軸回りに所望の角度、左右に回動させることができる。
【００３５】
この実施例２の変形例の支持台は、実施例１の支持台と同様の効果を奏する上に、台座３２ｃが溝１ｃ内に隠れるので美観に優れたものとなる。
【図面の簡単な説明】
【００３６】
【図１】実施例１のオーディオラックの前方斜視図である。
【図２】同後方分解斜視図である。
【図３】同キャビネット支持台の縦断面図である。
【図４】同ＡＶキャビネットの後方斜視図である。
【図５】同ディスプレイ支持台の縦断面図である。
【図６】実施例２のキャビネット支持台の縦断面図である。
【図７】同ディスプレイ支持台の縦断面図である。
【図８】図７のＢ−Ｂ線に沿う断面図である。
【図９】実施例２の変形例のキャビネット支持台の縦断面図である。
【図１０】図９のＣ−Ｃ線に沿う断面図である。
【符号の説明】
【００３７】
１，２１，３１  基台
１ａ，２１ａ  溝
１ｃ  ネジ孔
２，３，４，２２，２４，３２  支持台
２ａ，４ｂ，２２ａ  通路
５，６，７  オーディオ機器
１５  ターンテーブル
２９ａ，２９ｂ  ガイドレール
３１ｃ  横溝（ガイドレール）
【図１】
2005318994.tif 000003
【図２】
2005318994.tif 000004
【図３】
2005318994.tif 000005
【図４】
2005318994.tif 000006
【図５】
2005318994.tif 000007
【図６】
2005318994.tif 000008
【図７】
2005318994.tif 000009
【図８】
2005318994.tif 000010
【図９】
2005318994.tif 000011
【図１０】
2005318994.tif 000012